(57)【特許請求の範囲】
【請求項１】
情報をバックアップ記憶するバックアップ装置と通信網を介して接続可能な移動通信端末装置であって、
第１の情報と、該第１の情報がシークレットであるか否かを示すシークレット属性とを記憶する情報記憶手段と、
前記シークレット属性がシークレットであることを示す第１の情報へのアクセスが可能であるか否かを示すシークレット設定を切り替えるシークレット設定手段と、
前記情報記憶手段に記憶された第１の情報の識別情報と、前記第１の情報を前記バックアップ装置にバックアップ記憶させる旨、または、前記第１の情報が前記バックアップ装置にバックアップ記憶された前記識別情報で識別される第２の情報を消去させる旨とを記憶するバックアップ要求記憶手段と、
前記バックアップ要求記憶手段に記憶された情報に基づいて前記バックアップ記憶させる要求、または、前記バックアップ記憶を消去させる要求を前記バックアップ装置に送信するバックアップ要求送信手段と、
第１の情報を前記情報記憶手段に記憶させる際、前記シークレット設定が前記第１の情報へのアクセスが可能であることを示す場合、または、前記第１の情報のシークレット属性がシークレットでないことを示す場合、前記第１の情報の識別情報と前記バックアップ記憶させる旨とを前記バックアップ要求記憶手段に記憶させる情報管理手段とを有する
ことを特徴とする移動通信端末装置。
【請求項２】
前記情報管理手段は、前記シークレット設定が前記第１の情報へのアクセスが不可であることを示す場合、かつ、前記第１の情報のシークレット属性がシークレットであることを示す場合、前記第１の情報の識別情報を前記バックアップ要求記憶手段に記憶させない
ことを特徴とする請求項１に記載の移動通信端末装置。
【請求項３】
前記情報管理手段は、前記シークレット設定が前記第１の情報へのアクセスが不可に切り替わった際、前記情報記憶手段に記憶されている前記シークレット属性がシークレットであることを示す第１の情報の識別情報と前記バックアップ記憶させる旨とが前記バックアップ要求記憶手段に記憶されている場合、その識別情報を前記バックアップ要求記憶手段から消去し、前記第１の情報の識別情報と前記バックアップ記憶させる旨とが前記バックアップ要求記憶手段に記憶されていない場合、その識別情報と前記バックアップ記憶を消去させる旨とを前記バックアップ要求記憶手段に記憶させる
ことを特徴とする請求項１に記載の移動通信端末装置。
【請求項４】
前記情報管理手段は、前記情報記憶手段に記憶された第１の情報のシークレット属性をシークレットでないことを示す情報からシークレットであることを示す情報に変更し、かつ、前記シークレット設定が前記第１の情報へのアクセスが不可であることを示す際、前記シークレット属性が変更された第１の情報の識別情報と前記バックアップ記憶させる旨とが前記バックアップ要求記憶手段に記憶されている場合、その識別情報を前記バックアップ要求記憶手段から消去し、前記第１の情報の識別情報と前記バックアップ記憶させる旨とが前記バックアップ要求記憶手段に記憶されていない場合、その識別情報と前記バックアップ記憶を消去させる旨とを前記バックアップ要求記憶手段に記憶させる
ことを特徴とする請求項１に記載の移動通信端末装置。
【発明の詳細な説明】
【技術分野】
【０００１】
本発明は、移動通信端末装置に係り、特に、装置に記憶された情報のバックアップ記憶に関する。
【背景技術】
【０００２】
移動通信端末装置内の情報記憶部に、アドレス帳、スケジュール、メモ帳、電子メールなどの情報が記憶される。端末装置の使用者がこれらの情報を誤って操作、例えば、消去や変更した際に、情報を操作前の状態に復旧させるため、情報をサーバ装置にバックアップ記憶する処理が知られている。端末装置に記憶される情報に変化、即ち、追加、変更、及び消去が施された場合、変化後の情報をサーバ装置にバックアップ記憶し、サーバ装置に記憶された情報を、端末装置に記憶された情報と等しく保つ。
【０００３】
ここで、端末装置に記憶されている全ての情報をバックアップ記憶することは、必ずしも適切ではない。端末装置の使用者の指定に従い、一部の情報のみをバックアップ記憶しても良い。例えば、情報を重要な情報であるか否かによって２種類に分類し、重要な情報のみをバックアップ記憶する処理が知られている（例えば、特許文献１参照。）。
【特許文献１】特開２００４−４０２８３号公報（第８頁、図７）
【発明の開示】
【発明が解決しようとする課題】
【０００４】
しかしながら、上述した特許文献１に開示されている方法では、装置の動作モードの設定、及び情報が分類された種類に依存したバックアップ処理が明確でない問題点があった。例えば、異なる種類に分類された情報を同様に扱うか否かを示す動作モードが変更された際のバックアップ処理が明確でない。
【０００５】
本発明は上記問題点を解決するためになされたもので、装置の動作モードの設定、及び情報が分類された種類に依存したバックアップ処理を行う移動通信端末装置を提供することを目的とする。
【課題を解決するための手段】
【０００６】
上記目的を達成するために、本発明の移動通信端末装置は、情報をバックアップ記憶するバックアップ装置と通信網を介して接続可能な移動通信端末装置であって、第１の情報と、該第１の情報がシークレットであるか否かを示すシークレット属性とを記憶する情報記憶手段と、前記シークレット属性がシークレットであることを示す第１の情報へのアクセスが可能であるか否かを示すシークレット設定を切り替えるシークレット設定手段と、前記情報記憶手段に記憶された第１の情報の識別情報と、前記第１の情報を前記バックアップ装置にバックアップ記憶させる旨、または、前記第１の情報が前記バックアップ装置にバックアップ記憶された前記識別情報で識別される第２の情報を消去させる旨とを記憶するバックアップ要求記憶手段と、前記バックアップ要求記憶手段に記憶された情報に基づいて前記バックアップ記憶させる要求、または、前記バックアップ記憶を消去させる要求を前記バックアップ装置に送信するバックアップ要求送信手段と、第１の情報を前記情報記憶手段に記憶させる際、前記シークレット設定が前記第１の情報へのアクセスが可能であることを示す場合、または、前記第１の情報のシークレット属性がシークレットでないことを示す場合、前記第１の情報の識別情報と前記バックアップ記憶させる旨とを前記バックアップ要求記憶手段に記憶させる情報管理手段とを有することを特徴とする。
【発明の効果】
【０００７】
本発明によれば、装置の動作モードの設定、及び情報が分類された種類に依存したバックアップ処理を行う移動通信端末装置を提供することができる。
【発明を実施するための最良の形態】
【０００８】
以下に、本発明による移動通信端末装置の実施の形態を、図面を参照して説明する。図１は、バックアップシステムの構成を示すブロック図である。このバックアップシステムは、本発明の実施形態に係る移動通信端末装置ＭＳと、第１のバックアップサーバ装置ＢＫ１と、第２のバックアップサーバ装置ＢＫ２と、…とからなる。
【０００９】
そして、移動通信端末装置ＭＳは、第１のバックアップサーバ装置ＢＫ１、第２のバックアップサーバ装置ＢＫ２、…と通信網ＮＷを介して接続されている。ここで、第１のバックアップサーバ装置ＢＫ１、第２のバックアップサーバ装置ＢＫ２、…は、１台以上の任意の台数であり、いずれも移動通信端末装置ＭＳ内に記憶された情報をバックアップ記憶する。また、通信網ＮＷは、セルラー網をその一部として含む通信網である。
【００１０】
図２は、移動通信端末装置ＭＳの構成を示すブロック図である。移動通信端末装置ＭＳは、装置全体の制御を行う制御部１１と、通信網ＮＷとの間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、コンタクト管理部１７と、コンタクト記憶部１８と、コンタクト保全部２１、バックアップ要求記憶部２２とからなる。
【００１１】
コンタクト記憶部１８には、コンタクトリスト１８ａが記憶される。バックアップ要求記憶部２２には、バックアップ要求２２ａが記憶される。
【００１２】
図３は、第１のバックアップサーバ装置ＢＫ１の構成を示すブロック図である。第１のバックアップサーバ装置ＢＫ１は、装置全体の制御を行う制御部３１と、通信網ＮＷとの間で通信を行う通信部３２と、送受信部３３と、コンタクト保全部３４と、コンタクト記憶部３５とからなる。コンタクト記憶部３５には、コンタクトリスト３５ａが記憶される。
【００１３】
なお、第２のバックアップサーバ装置ＢＫ２、…の構成は、第１のバックアップサーバ装置ＢＫ１の構成と同一であり、説明を省略する。
【００１４】
上記のように構成された、本発明の実施形態に係る移動通信端末装置ＭＳの各部の動作及び第１のバックアップサーバ装置ＢＫ１、第２のバックアップサーバ装置ＢＫ２、…の各部の動作を、図２及び図３を参照して説明する。
【００１５】
通信部１２ｂは、アンテナ１２ａが受信した高周波信号を送受信部１３へ出力し、また、送受信部１３から出力される高周波信号をアンテナ１２ａより送信する。
【００１６】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１７】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１８】
表示部１５は、制御部１１に制御されることで、カーソルを含む文字・数字や画像データの表示動作を行い、表示されているデータは、入力装置１６からの入力操作等に応答して制御部１１からの指示を受けることで切換わる。
【００１９】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、制御部１１によって、表示部１５に文字として表示され、各部に通知され、または、制御が行われる。
【００２０】
コンタクト管理部１７は、入力装置１６の所定のキー操作に従い制御部１１によって起動され、コンタクト記憶部１８に記憶されたコンタクトリスト１８ａを管理する。ここで、コンタクトリスト１８ａは、詳しくは後述するように、氏名、電話番号等の情報からなる。
【００２１】
即ち、コンタクト管理部１７は、入力装置１６の所定のキーが操作されると、コンタクトリスト１８ａに記憶された情報を検索して表示部１５に表示し、また、その表示された情報を修正し、消去して、コンタクトリスト１８ａに記憶させる。また、コンタクト管理部１７は、新たに情報をコンタクトリスト１８ａに追加記憶する。更に、コンタクト管理部１７は、検索された情報の電話番号を制御部１１に送信して、その番号に発呼させる。
【００２２】
また、コンタクト管理部１７は、コンタクトリスト１８ａの全部または一部であって、バックアップ記憶が必要な情報を識別する情報をバックアップ要求記憶部２２にバックアップ要求２２ａとして記憶させ、また、既に行われたバックアップ記憶を消去する情報を識別する情報をバックアップ要求記憶部２２にバックアップ要求２２ａとして記憶させる。
【００２３】
ここで、バックアップ要求２２ａは、上記のように、バックアップ記憶が必要な情報を識別する情報及びバックアップ記憶を消去する情報を識別する情報が順序付けられた構成をなし、詳しくは後述する。
【００２４】
コンタクト保全部２１は、バックアップ要求記憶部２２に順序付けて記憶されたバックアップ要求２２ａに従って、コンタクトを第１のバックアップサーバ装置ＢＫ１、第２のバックアップサーバ装置ＢＫ２、…に送信してバックアップ記憶させ、第１のバックアップサーバ装置ＢＫ１、第２のバックアップサーバ装置ＢＫ２、…にバックアップ記憶されたコンタクトを消去させる。
【００２５】
また、コンタクト保全部２１は、入力装置１６の所定のキーが操作されると、第１のバックアップサーバ装置ＢＫ１、第２のバックアップサーバ装置ＢＫ２、…に記憶されたコンタクトを送信させ、送信されたコンタクトを受信して、コンタクトリスト１８ａとしてコンタクト記憶部１８に記憶させる。
【００２６】
通信部３２は、通信網ＮＷから受信した信号を送受信部３３へ出力し、また、送受信部３３から出力される信号を通信網ＮＷに送信する。
【００２７】
送受信部３３は、通信部３２からの信号を増幅、及び復調し、それによって得られたディジタル信号を制御部３１に送る。更には、制御部３１から出力される信号を変調、及び増幅し、得られた信号を通信部３２に送る。
【００２８】
コンタクト保全部３４は、移動通信端末装置ＭＳから送信され、送受信部３３によって受信された要求に応じ、移動通信端末装置ＭＳから送信されたコンタクトをコンタクトリスト３５ａとしてコンタクト記憶部３５に記憶し、または、消去する。更には、コンタクト記憶部３５に記憶されたコンタクトリスト３５ａの一部または全部を移動通信端末装置ＭＳに送信する。
【００２９】
なお、第２のバックアップサーバ装置ＢＫ２…の各部の動作は、第１のバックアップサーバ装置ＢＫ１の各部の動作と同一であり、説明を省略する。
【００３０】
以下、本実施形態に係る移動通信端末装置ＭＳ及び第１のバックアップサーバ装置ＢＫ１、第２のバックアップサーバ装置ＢＫ２、…によって行われる情報保護に関する動作を図２〜図１３を参照して説明する。
【００３１】
図４は、コンタクト記憶部１８に記憶されるコンタクトリスト１８ａの構成の一例を示す。このコンタクトリスト１８ａは、１つ、または複数のコンタクトからなり、それぞれのコンタクトは、コンタクト識別子１８ｂと、氏名１８ｃと、電話番号１８ｄと、シークレット属性１８ｅとからなる。コンタクト識別子１８ｂは、コンタクトリスト１８ａに含まれるコンタクトを一意に識別する識別子であり、例えば、ＬＵＩＤ（Locally Unique Identifier）であるが、これに限るものではない。
【００３２】
氏名１８ｃは、人の氏名や会社名など、使用者がコンタクトを識別する情報である。電話番号１８ｄは、氏名１８ｃの電話番号である。シークレット属性１８ｅは、「オフ」または「オン」の値であり、「オフ」の場合、このコンタクトがシークレットでない（標準の秘密度である）ことを示す。また、「オン」の場合、このコンタクトは、シークレット（高い秘密度である。）ことを示す。シークレット属性１８ｅが「オン」のシークレットは、後述するように、表示されないことがあり、また、バックアップ記憶されないことがある。
【００３３】
図５は、バックアップ要求記憶部２２に記憶されるバックアップ要求２２ａの構成の一例を示し、図６及び図７は、それぞれバックアップ要求２２ａの別の例を示す。このバックアップ要求２２ａは、コンタクト識別子２２ｂと、第１のバックアップサーバ装置への要求２２ｃと、第２のバックアップサーバ装置への要求２２ｄ、…とが対応付けられた要求からなる。コンタクト識別子２２ｂは、コンタクト識別子１８ｂであり、この要求は、コンタクトリスト１８ａ中のコンタクトであって、コンタクト識別子１８ｂで識別されるコンタクトに関する要求であることを示す。
【００３４】
第１のバックアップサーバ装置への要求２２ｃは、「ＡＤＤ」、「ＤＥＬＥＴＥ」、「同期済み」なる情報のいずれかであるか、または情報が記憶されていない（図７では、「−」によって示す。）。「ＡＤＤ」は、コンタクト識別子２２ｂで識別されるコンタクトを第１のバックアップサーバ装置ＢＫ１へバックアップ記憶する要求を示す。「ＤＥＬＥＴＥ」は、コンタクト識別子２２ｂで識別されるコンタクトが第１のバックアップサーバ装置ＢＫ１にバックアップ記憶された情報を消去する要求を示す。
【００３５】
「同期済み」は、上記「ＡＤＤ」または「ＤＥＬＥＴＥ」要求が実行されたことを示す。情報が記憶されていない場合（図７では、「−」によって示す。）は、第１のバックアップサーバ装置ＢＫ１に関する要求は存在しないことを示す。
【００３６】
第２のバックアップサーバ装置への要求２２ｄ、…は、第２のバックアップサーバ装置ＢＫ２、…に対する要求である相違点があるものの、第１のバックアップサーバ装置への要求２２ｃと同様であり、説明を省略する。なお、第１のバックアップサーバ装置への要求２２ｃと、第２のバックアップサーバ装置への要求２２ｄ、…とがいずれも「同期済み」なる情報、または情報が記憶されていないことは、コンタクト識別子２２ｂで識別されるコンタクトに関する要求が全て実行されたことを意味し、その情報はバックアップ要求２２ａから消去される。
【００３７】
なお、後述するように、図５に示すバックアップ要求２２ａは、図４に示す２つのコンタクトがコンタクトリスト１８ａに新規に記憶された際に、作成されるバックアップ要求２２ａの構成の一例であり、コンタクト識別子１８ｂが「１」であるコンタクト（シークレット属性１８ｅが「オフ」。）をバックアップ記憶させる要求を示している。
【００３８】
また、図６に示すバックアップ要求２２ａは、図４に示す２つのコンタクトがバックアップ記憶された後、コンタクト識別子１８ｂが「２」であるコンタクト（シークレット属性１８ｅが「オン」。）のバックアップ記憶を消去させる要求を示している。更に、図７に示すバックアップ要求２２ａは、図４に示すコンタクトリスト１８ａの一例とは必ずしも関係がなく、各種の要求の形態を説明するための例である。
【００３９】
図８は、コンタクト記憶部３５に記憶されるコンタクトリスト３５ａの構成の一例を示す。このコンタクトリスト３５ａは、１つ、または複数のコンタクトからなり、それぞれのコンタクトは、移動通信端末装置識別子３５ｂと、コンタクト識別子３５ｃと、氏名３５ｄと、電話番号３５ｅと、シークレット属性３５ｆとからなる。
【００４０】
移動通信端末装置識別子３５ｂは、コンタクトをバックアップ記憶のために送信した移動通信端末装置ＭＳを一意に識別する情報であり、例えば、ＧＵＩＤ（Global Unique Identifier）であるが、これに限るものではない。コンタクト識別子３５ｃと、電話番号３５ｅと、シークレット属性３５ｆとは、それぞれ、移動通信端末装置識別子３５ｂで識別される移動通信端末装置ＭＳのコンタクトリスト１８ａのコンタクト識別子１８ｂと、氏名１８ｃと、電話番号１８ｄと、シークレット属性１８ｅとであって、バックアック記憶のために送信されたものである。
【００４１】
なお、後述するように、図８に示すコンタクトリスト３５ａは、図５に示すバックアップ要求２２ａに従って、図４に示すコンタクトリスト１８ａの一部（コンタクト識別子１８ｂが「１」であるコンタクト。）がバックアップ記憶された例を示す。
【００４２】
コンタクト管理部１７のバックアップ処理に関する動作を説明する。なお、その処理に関しない動作は、周知であるので簡明な説明に止める。コンタクト管理部１７は、入力装置１６の所定のキー操作によって、シークレット設定がオンかオフかを切り替えられ、それぞれの設定で動作する。シークレット設定をオンにするためには、正当な使用者によって使用されていることを確認するため、所定の暗証情報による認証が必要である。なぜなら、シークレット設定がオンであることは、シークレット属性１８ｅが「オン」であるコンタクト、即ち、シークレット情報へのアクセスが可能であることを意味するからである。
【００４３】
即ち、シークレット設定がオフの場合、コンタクト管理部１７は、シークレット属性１８ｅが「オフ」である、コンタクトリスト１８ａのコンタクトを表示部１５に表示させ、また、後述するように、そのコンタクトを第１のバックアップサーバ装置ＢＫ１、第２のバックアップサーバ装置ＢＫ２、…にバックアップ記憶させるように動作する。
【００４４】
一方、シークレット設定がオンの場合、コンタクト管理部１７は、シークレット属性１８ｅが「オン」であるか「オフ」であるかを問わず、コンタクトリスト１８ａの全てのコンタクトを表示部１５に表示させ、また、全てのコンタクトを第１のバックアップサーバ装置ＢＫ１、第２のバックアップサーバ装置ＢＫ２、…にバックアップ記憶させるように動作する。
【００４５】
例えば、図４に例示したコンタクトリスト１８ａを表示する際、シークレット設定がオフであれば、コンタクト管理部１７は、図９に一例を示すように、シークレット属性１８ｅが「オフ」であるコンタクトの氏名１８ｃである「Ａ」と、電話番号１８ｄである「０１２−３４５６−７８９０」とからなるコンタクト一覧１５ａを表示部１５に表示する。そして、シークレット属性１８ｅが「オン」であり、氏名１８ｃが「Ｂ」であるコンタクトの情報は表示しない。
【００４６】
一方、シークレット設定がオンであれば、コンタクト管理部１７は、図１０に一例を示すように、シークレット属性１８ｅが「オフ」であるコンタクトの氏名１８ｃである「Ａ」と、電話番号１８ｄである「０１２−３４５６−７８９０」と、更には、シークレット属性１８ｅが「オン」であるコンタクトの氏名１８ｃである「Ｂ」と、電話番号１８ｄである「０１２−３４５６−７８９１」とからなるコンタクト一覧１５ａを表示部１５に表示する。
【００４７】
コンタクト管理部１７がコンタクトをコンタクトリスト１８ａに追加する動作を説明する。図１１は、コンタクト管理部１７がコンタクトをコンタクトリスト１８ａに追加する動作のフローチャートを示す。コンタクト管理部１７は、入力装置１６の所定のキー操作に従って動作を開始し（ステップＳ１０１）、入力装置１６のキー操作に従って、氏名１８ｃ、電話番号１８ｄ、及びシークレット属性１８ｅをコンタクトリスト１８ａに追加格納する。この際、コンタクト管理部１７は、コンタクト識別子１８ｂとして、追加格納するコンタクトを一意に識別可能な値を付す（ステップＳ１０２）。なお、そのコンタクト識別子１８ｂは、過去に用いたコンタクト識別子１８ｂを用いないとしても良い。
【００４８】
コンタクト管理部１７は、現在のシークレット設定を調べる（ステップＳ１０３）。シークレット設定がオンで動作している場合、コンタクト管理部１７は、追加格納されたコンタクトのバックアップ記憶を行わせるべく、上記付されたコンタクト識別子１８ｂをコンタクト識別子２２ｂに、「ＡＤＤ」を第１のバックアップサーバ装置への要求２２ｃと、第２のバックアップサーバ装置への要求２２ｄと、…に設定した情報をバックアップ要求２２ａに追加して（ステップＳ１０４）、動作を終了する（ステップＳ１０５）。
【００４９】
一方、シークレット設定がオフで動作している場合、コンタクト管理部１７は、シークレット属性１８ｅを調べる（ステップＳ１０６）。シークレット属性１８ｅが「オフ」の場合、上記説明した通り、情報をバックアップ要求２２ａに追加して（ステップＳ１０４）、動作を終了する（ステップＳ１０５）。一方、シークレット属性１８ｅが「オン」の場合、動作を終了する（ステップＳ１０５）。
【００５０】
上記の動作を言い換えると、シークレット設定がオフで動作し、かつ、シークレット属性１８ｅがオンであることは、シークレット情報へのアクセスが不可能な動作モードであり、かつ、追加格納されたコンタクトはシークレット情報であることを意味するので、コンタクト管理部１７は、バックアップ処理を行わない動作をするものである。
【００５１】
前述した、図４に示すコンタクト識別子１８ｂが「１」であるコンタクトが追加された際、図５に示すバックアップ要求２２ａが作成されることが、このステップＳ１０４の動作の一例である。
【００５２】
次に、コンタクト管理部１７がコンタクトをコンタクトリスト１８ａから消去する動作を説明する。コンタクト管理部１７は、コンタクトをコンタクトリスト１８ａから消去した後、そのコンタクトがバックアップ記憶されているか否かを調べる。上記説明した通り、シークレット設定がオンで動作している場合、または、シークレット属性１８ｅが「オフ」の場合、そのコンタクトは、バックアップ記憶されている。
【００５３】
そこで、それらの場合、そのバックアップ記憶を消去すべく、コンタクト管理部１７は、上記消去されたコンタクトのコンタクト識別子１８ｂをコンタクト識別子２２ｂに、「ＤＥＬＥＴＥ」を第１のバックアップサーバ装置への要求２２ｃと、第２のバックアップサーバ装置への要求２２ｄと、…に設定した情報をバックアップ要求２２ａに追加して、動作を終了する。
【００５４】
ただし、上記消去されたコンタクトのコンタクト識別子１８ｂをコンタクト識別子２２ｂに、「ＡＤＤ」を第１のバックアップサーバ装置への要求２２ｃと、第２のバックアップサーバ装置への要求２２ｄと、…に設定した情報がバックアップ要求２２ａに含まれている場合、上記バックアップ記憶は終了していないので、コンタクト管理部１７は、上記バックアップ記憶の要求をバックアップ要求２２ａから消去することによって、バックアップ記憶をさせない。
【００５５】
前述した、図４に示すコンタクト識別子１８ｂが「２」であるコンタクトが消去された際、図６に示すバックアップ要求２２ａが作成されることが、この動作の一例である。
【００５６】
次に、シークレット設定がオンで動作していた後、シークレット設定がオフにされた際の、コンタクト管理部１７の動作を説明する。
【００５７】
図１２は、シークレット設定がオンで動作していた後、シークレット設定がオフにされた際の、コンタクト管理部１７の動作のフローチャートを示す。コンタクト管理部１７は、シークレット設定の変更に伴い、動作を開始する（ステップＳ２０１）。そして、コンタクトリスト１８ａからコンタクトを順次読み込み（ステップＳ２０２）、コンタクトが尽きた、即ち、全てのコンタクトの処理が終了したため、コンタクトの読み込みが出来なかったか否かを調べる（ステップＳ２０３）。
【００５８】
コンタクトが尽きた場合、コンタクト管理部１７は、動作を終了する（ステップＳ２０４）。一方、尽きていない場合、読み込んだコンタクトのシークレット属性１８ｅを調べる（ステップＳ２０５）。そして、そのシークレット属性１８ｅが「オフ」であれば、ステップＳ２０１のコンタクト読み込みの動作に移る。
【００５９】
一方、そのシークレット属性１８ｅが「オン」であれば、コンタクト管理部１７は、読み込んだコンタクトのコンタクト識別子１８ｂをコンタクト識別子２２ｂに、「ＡＤＤ」を第１のバックアップサーバ装置への要求２２ｃと、第２のバックアップサーバ装置への要求２２ｄと、…に設定した情報がバックアップ要求２２ａに含まれているか否かを調べる（ステップＳ２０６）。
【００６０】
含まれていなければ、そのコンタクト識別子１８ｂで識別されるコンタクトは、既にバックアップ記憶が完了しているので、コンタクト管理部１７は、そのバックアップ記憶を消去すべく、読み込んだコンタクトのコンタクト識別子１８ｂをコンタクト識別子２２ｂに、「ＤＥＬＥＴＥ」を第１のバックアップサーバ装置への要求２２ｃと、第２のバックアップサーバ装置への要求２２ｄと、…に設定した情報をバックアップ要求２２ａに追加して（ステップＳ２０７）、ステップＳ２０１のコンタクト読み込みの動作に移る。
【００６１】
一方、含まれていれば、そのコンタクト識別子１８ｂで識別されるコンタクトは、バックアップ記憶が完了していないので、コンタクト管理部１７は、上記含まれていた読み込んだコンタクトのコンタクト識別子１８ｂをコンタクト識別子２２ｂに、「ＡＤＤ」を第１のバックアップサーバ装置への要求２２ｃと、第２のバックアップサーバ装置への要求２２ｄと、…に設定した情報をバックアップ要求２２ａから消去して（ステップＳ２０８）、バックアップ記憶をさせずに、ステップＳ２０１のコンタクト読み込みの動作に移る。
【００６２】
なお、第１のバックアップサーバ装置への要求２２ｃと、第２のバックアップサーバ装置への要求２２ｄと、…のいずれかに「ＡＤＤ」が記憶されている場合、含まれているものに対しては、その情報を消去し、情報をバックアップ記憶させない。含まれていないものに対しては、「ＤＥＬＥＴＥ」を記憶させて、バックアップ記憶を消去させる。
【００６３】
上記動作により、シークレット属性１８ｅが「オン」であるコンタクトは、シークレット設定がオンで動作している際にアクセス可能であり、バックアップ記憶がされるので、シークレット設定がオフに変更された際、第１のバックアップサーバ装置ＢＫ１と、第２のバックアップサーバ装置ＢＫ２と、…に記憶されたバックアップ記憶を消去することができる。また、バックアップ記憶がされていない場合、無用なバックアップ記憶及びその記憶の消去を行うことがない。
【００６４】
次に、シークレット設定がオフで動作していた後、シークレット設定がオンにされた際の、コンタクト管理部１７の動作を説明する。シークレット設定がオンにされた際、コンタクト管理部１７は、全てのコンタクトのバックアップ記憶が行われた状態にする。しかし、シークレット属性１８ｅが「オフ」であるコンタクトは既にバックアップ記憶されているので、そのコンタクトに対しての動作は不要である。
【００６５】
即ち、シークレット属性１８ｅが「オン」であるコンタクトについては、コンタクト管理部１７は、そのコンタクトのコンタクト識別子１８ｂをコンタクト識別子２２ｂに、「ＡＤＤ」を第１のバックアップサーバ装置への要求２２ｃと、第２のバックアップサーバ装置への要求２２ｄと、…に設定した情報をバックアップ要求２２ａに追加する。
【００６６】
ただし、そのコンタクトのコンタクト識別子１８ｂをコンタクト識別子２２ｂに、「ＤＥＬＥＴＥ」を第１のバックアップサーバ装置への要求２２ｃと、第２のバックアップサーバ装置への要求２２ｄと、…に設定した情報がバックアップ要求２２ａに含まれている場合、既にそのコンタクトのバックアック記憶がされていることを意味するので、その情報をバックアップ要求２２ａから消去する。
【００６７】
次に、コンタクトのシークレット属性１８ｅが変更された際のコンタクト管理部１７の動作を説明する。図１３は、あるコンタクトのシークレット属性１８ｅが「オフ」から「オン」に変更された際の、コンタクト管理部１７の動作のフローチャートを示す。あるコンタクトのシークレット属性１８ｅが「オフ」から「オン」に変更された際のコンタクト管理部１７の動作は、図１２に示すフローチャートを参照して説明した、シークレット設定がオンで動作していた後、シークレット設定がオフにされた際の、コンタクト管理部１７の動作と類似している。そこで、同じ動作ステップには同じ符号を付して、説明を省略する。
【００６８】
コンタクト管理部１７は、入力装置１６の所定の操作によって、あるコンタクトのシークレット属性１８ｅが「オフ」から「オン」に変更された際に動作を開始し（ステップＳ３０１）、シークレット設定がオンかオフかを調べる（ステップＳ３０２）。シークレット設定がオンであれば、コンタクトのシークレット属性１８ｅに係らず、そのコンタクトのバックアップ記憶がされるので、バックアップ記憶に関する動作を行わずに動作を終了する（ステップＳ３０３）。
【００６９】
一方、シークレット設定がオフであれば、既に説明したステップＳ２０６〜Ｓ２０８の動作を行って、上記コンタクトをバックアップ記憶させない状態として、動作を終了する（ステップＳ３０３）。
【００７０】
次に、あるコンタクトのシークレット属性１８ｅが「オン」から「オフ」に変更された際、即ち、そのコンタクトがシークレットでないとされた際、コンタクト管理部１７は、その際のシークレット設定を調べる。シークレット設定がオンであれば、コンタクトのシークレット属性１８ｅに係らず、そのコンタクトのバックアップ記憶がされているので、バックアップ記憶に関する動作をしない。
【００７１】
一方、シークレット設定がオフであれば、そのコンタクトをバックアップ記憶させる必要があるので、コンタクト管理部１７は、図１１に示したフローチャートのステップＳ１０４の動作と同じ動作を行い、そのコンタクトのコンタクト識別子１８ｂをコンタクト識別子２２ｂに、「ＡＤＤ」を第１のバックアップサーバ装置への要求２２ｃと、第２のバックアップサーバ装置への要求２２ｄと、…に設定した情報をバックアップ要求２２ａに追加する。
【００７２】
ただし、そのコンタクトのコンタクト識別子１８ｂをコンタクト識別子２２ｂに、「ＤＥＬＥＴＥ」を第１のバックアップサーバ装置への要求２２ｃと、第２のバックアップサーバ装置への要求２２ｄと、…に設定した情報がバックアップ要求２２ａに記憶されている場合、上記コンタクトは既にバックアップ記憶されているので、上記情報をバックアップ要求２２ａから消去する。
【００７３】
ここで、シークレット属性１８ｅの変更に伴い、コンタクト識別子１８ｂを変更する必要があれば、コンタクト管理部１７は、その変更を行い、変更前のコンタクト識別子１８ｂによって識別されるコンタクトを消去した際の動作と、変更後のコンタクト識別子１８ｂによって識別されるコンタクトを追加した際の動作とを行う。
【００７４】
なお、コンタクトの氏名１８ｃ及び／または電話番号１８ｄの変更があった場合、コンタクト管理部１７は、上述したように、そのコンタクトがバックアップ記憶されている場合、即ち、そのコンタクトのシークレット属性１８ｅが「オフ」である、または、シークレット設定がオンである場合、図１１に示したフローチャートのステップＳ１０４の動作と同じ動作を行って、バックアップ記憶された情報を変更する。この際、要求は、「ＡＤＤ」であるとしているが、後述するように「ＵＰＤＡＴＥ」なる要求があっても良い。また、そのコンタクトがバックアップ記憶されていない場合、バックアップ記憶に関する動作をしない。
【００７５】
次に、コンタクト保全部２１は、入力装置１６の所定のキー操作に従って起動され、動作を開始する。ここで、そのキー操作は、コンタクト管理部１７に対して与えられ、コンタクト保全部２１は、コンタクト管理部１７によって起動されるとしても良い。また、コンタクト保全部２１は、バックアップ要求２２ａが記憶されている場合、制御部１１によって、所定の時間間隔で起動されるとしても良い。
【００７６】
そして、コンタクト保全部２１は、バックアップ要求記憶部２２に順序付けて記憶されたバックアップ要求２２ａを順次読み込み、読み込まれた情報に従って、バックアップ要求の動作を行う。この動作に伴う通信は、例えば、SyncMLプロトコルによって行われ、バックアップ要求２２ａはチェンジログ（Change Log）として扱われる。
【００７７】
即ち、コンタクト保全部２１は、読み込まれた情報の第１のバックアップサーバ装置への要求２２ｃに従って、以下の動作を行う。なお、読み込まれた情報の第２のバックアップサーバ装置への要求２２ｄ、…に従って行う動作は、第１のバックアップサーバ装置への要求２２ｃに従って行う動作と比較して、第２のバックアップサーバ装置ＢＫ２、…に対して行う点が相違している他は同一である。そこで、第２のバックアップサーバ装置への要求２２ｄ、…に従って行う動作の説明は省略する。
【００７８】
読み込まれた情報の第１のバックアップサーバ装置への要求２２ｃが「ＡＤＤ」である場合、コンタクト保全部２１は、コンタクト識別子２２ｂに記憶されたコンタクト識別子１８ｂで識別されるコンタクトをコンタクトリスト１８ａから検索し、そのコンタクト識別子１８ｂと、検索された氏名１８ｃと、電話番号１８ｄと、シークレット属性１８ｅと、「ＡＤＤ」なる要求とを送受信部１３を経由して第１のバックアップサーバ装置ＢＫ１に送信する。
【００７９】
第１のバックアップサーバ装置ＢＫ１から送信された、この要求が完了したとの通知を送受信部１３を経由して受信すると、コンタクト保全部２１は、読み込まれた情報の第１のバックアップサーバ装置への要求２２ｃを「同期済み」に更新して、更新されたバックアップ要求２２ａをバックアップ要求記憶部２２に記憶する。
【００８０】
更に、この際、第２のバックアップサーバ装置への要求２２ｄ、…が「同期済み」であるか、情報が記憶されていない（図７では、「−」によって示す。）場合、コンタクト保全部２１は、更新された要求は、既に要求の全てがバックアップサーバ装置によって実行されたことを意味するので、更新前の要求をバックアップ要求２２ａから消去して、消去されたバックアップ要求２２ａをバックアップ要求記憶部２２に記憶する。
【００８１】
読み込まれた情報の第１のバックアップサーバ装置への要求２２ｃが「ＤＥＬＥＴＥ」である場合、コンタクト保全部２１は、コンタクト識別子２２ｂと、「ＤＥＬＥＴＥ」なる要求とを送受信部１３を経由して第１のバックアップサーバ装置ＢＫ１に送信する。その後の動作は、上記第１のバックアップサーバ装置への要求２２ｃが「ＡＤＤ」である場合の動作と同一であり、説明を省略する。
【００８２】
また、コンタクト保全部２１は、起動された後、入力装置１６の所定のキー操作によって、第１のバックアップサーバ装置ＢＫ１に記憶されたコンタクトのリストア要求が受信された場合、リストア要求を送受信部１３を経由して第１のバックアップサーバ装置ＢＫ１に送信する。このリストア要求に対応する通信は、例えば、SyncMLプロトコルによって行われる。
【００８３】
このリストア要求に応答して、第１のバックアップサーバ装置ＢＫ１から送信された、コンタクト識別子と、氏名と、電話番号と、シークレット属性との１組または複数組の情報、及びこの要求が完了したとの通知を送受信部１３を経由して受信すると、コンタクト保全部２１は、受信されたコンタクト識別子と、氏名と、電話番号と、シークレット属性とからなる情報を、１組ずつそれぞれコンタクト識別子１８ｂに、氏名１８ｃに、電話番号１８ｄに、シークレット属性１８ｅに設定したコンタクトをコンタクトリスト１８ａに格納し、格納されたコンタクトリスト１８ａをコンタクト記憶部１８に記憶する。
【００８４】
この格納の際、受信されたコンタクト識別子と等しいコンタクト識別子１８ｂであるコンタクトが既にコンタクトリスト１８ａに含まれている場合、コンタクト保全部２１は、受信された氏名と、電話番号と、シークレット属性とによって、上記コンタクトの氏名１８ｃと、電話番号１８ｄと、シークレット属性１８ｅとを更新する。
【００８５】
また、上記リストア要求によれば、第１のバックアップサーバ装置ＢＫ１に記憶された全てのコンタクトのリストアが行われるが、これに限るものではない。例えば、コンタクト保全部２１は、コンタクト識別子１８ｂを指定して、第１のバックアップサーバ装置ＢＫ１に記憶されたコンタクトの送信を要求し、この要求に応答して送信された１つのコンタクトのリストアを行うとしても良い。
【００８６】
なお、第２のバックアップサーバ装置ＢＫ２、…に記憶されたコンタクトのリストア要求が受信された場合、コンタクト保全部２１は、上記第１のバックアップサーバ装置ＢＫ１に記憶されたコンタクトのリストア要求が受信された場合と同一の動作を第２のバックアップサーバ装置ＢＫ２、…との通信によって行うので、動作の説明を省略する。
【００８７】
なお、コンタクト保全部２１は、入力装置１６の所定のキー操作に従って起動され、動作を開始するとしたが、コンタクトリスト１８ａに含まれる情報の追加、消去、及び変更があった際、コンタクト管理部１７がコンタクト保全部２１を起動して、バックアップ要求２２ａに従ったバックアップ記憶の動作をさせるとしても良い。更には、制御部１１が、所定の時間間隔でコンタクト保全部２１を起動して、バックアップ要求２２ａに従ったバックアップ記憶の動作をさせるとしても良い。
【００８８】
次に、第１のバックアップサーバ装置ＢＫ１のコンタクト保全部３４の動作を説明する。コンタクト保全部３４は、移動通信端末装置ＭＳから送信された要求及びその他の情報を送受信部３３経由で受信して動作を開始する。
【００８９】
受信された要求が「ＡＤＤ」であり、更にコンタクト識別子と、氏名と、電話番号と、シークレット属性とが１組受信された場合、コンタクト保全部３４は、受信されたコンタクト識別子と、氏名と、電話番号と、シークレット属性とをそれぞれコンタクト識別子３５ｃに、氏名３５ｄに、電話番号３５ｅに、シークレット属性３５ｆに、そして、上記要求を送信した移動通信端末装置ＭＳを一意に識別する情報を移動通信端末装置識別子３５ｂに設定したコンタクトをコンタクトリスト３５ａに格納し、格納されたコンタクトリスト３５ａをコンタクト記憶部３５に記憶する。そして、上記要求が完了したとの通知を送受信部３３を経由して、上記要求を送信した移動通信端末装置ＭＳに送信する。
【００９０】
受信された要求が「ＤＥＬＥＴＥ」であり、更にコンタクト識別子が受信された場合、コンタクト保全部３４は、受信されたコンタクト識別子がコンタクト識別子３５ｃに等しく、かつ、移動通信端末装置識別子３５ｂが上記要求を送信した移動通信端末装置ＭＳを一意に識別する情報に等しいコンタクトをコンタクトリスト３５ａから検索し、検索されたコンタクトをコンタクトリスト３５ａから消去する。そして、消去が終了すると、消去されたコンタクトリスト３５ａをコンタクト記憶部３５に記憶する。そして、上記要求が完了したとの通知を送受信部３３を経由して、上記要求を送信した移動通信端末装置ＭＳに送信する。
【００９１】
受信された要求がリストア要求である場合、コンタクト保全部３４は、移動通信端末装置識別子３５ｂが上記要求を送信した移動通信端末装置ＭＳを一意に識別する情報に等しいコンタクトをコンタクトリスト３５ａから検索し、検索された１つ、または複数のコンタクトのコンタクト識別子３５ｃと、氏名３５ｄと、電話番号３５ｅと、シークレット属性３５ｆと、更に、上記要求が完了したとの通知を送受信部３３を経由して、上記要求を送信した移動通信端末装置ＭＳに送信する。
【００９２】
なお、第２のバックアップサーバ装置ＢＫ２、…によって行われる情報保護に関する動作は、第１のバックアップサーバ装置ＢＫ１によって行われる情報保護に関する動作と同一であり、説明を説明する。
【００９３】
以上の説明では、バックアップ要求２２ａの第１のバックアップサーバ装置への要求２２ｃ、第２のバックアップサーバ装置への要求２２ｄ、…に記憶される要求は、「ＡＤＤ」及び「ＤＥＬＥＴＥ」のいずれかとしたが、これに限るものではない。例えば、「ＵＰＤＡＴＥ」を含んでいても良い。この要求は、コンタクトを構成する情報であって、コンタクト識別子１８ｂ以外の情報に更新があった場合に用いられる。
【００９４】
上記説明では、更新があった際に「ＡＤＤ」の要求を用いるとした。そこで、「ＤＥＬＥＴＥ」の要求に関しても、コンタクト管理部１７は、同様にバックアップ要求２２ａの管理をする。例えば、第１のバックアップサーバ装置への要求２２ｃに「ＵＰＤＡＴＥ」の要求が記憶され、それに対応するコンタクト識別子２２ｂとコンタクト識別子１８ｂが等しいコンタクトのシークレット属性１８ｅが「オン」であり、その後、シークレット設定がオフに設定された場合、コンタクト管理部１７は、上記「ＵＰＤＡＴＥ」の要求を消去して、「ＤＥＬＥＴＥ」の要求を記憶させる。
【００９５】
以上の説明では、コンタクト管理部１７がバックアップ要求２２ａを作成するとしたが、これに限るものではない。コンタクトリスト１８ａに対する情報の追加、消去、及び変更を監視する監視部（図示せず）が、コンタクト管理部１７と独立にバックアップ要求２２ａを作成しても良い。
【００９６】
以上の説明では、コンタクト管理部１７がシークレット設定がオンかオフかを切り替えるとしたが、これに限るものではない。例えば、入力装置１６の所定のキー操作によって、制御部１１が切り替えて記憶し、その他の各部は、記憶されたシークレット設定に依存した動作をするとしても良い。シークレット設定のオンオフに依存して、コンタクト管理部１７の他に、電子メール送受信部（図示せず）が記憶されたシークレットである電子メールを表示し、または表示しない場合、制御部１１が１回の所定のキー操作のみでシークレット設定を切り替えることが簡便である。
【００９７】
以上の説明では、バックアップ記憶は、第１のバックアップサーバ装置ＢＫ１、第２のバックアップサーバ装置ＢＫ２、…に行われるとしたが、バックアップ記憶は、任意個の装置に行われるとして良い。また、複数の装置を如何に使い分けるかは、入力装置１６の所定のキー操作によって決定されるが、移動通信端末装置ＭＳを識別する情報に依存して決定されても良い。
【００９８】
以上の説明では、バックアップ記憶は、コンタクトに対して行われるとしたが、これに限るものではない。あらゆる形式のあらゆる情報に対して、同様に適用することが可能である。本発明は以上の構成に限定されるものではなく、種々の変形が可能である。
【図面の簡単な説明】
【００９９】
【図１】本発明の実施形態に係るバックアップシステムの構成を示すブロック図。
【図２】本発明の実施形態に係る移動通信端末装置の構成を示すブロック図。
【図３】本発明の実施形態に係る第１のバックアップ装置の構成を示すブロック図。
【図４】本発明の実施形態に係る移動通信端末装置のコンタクトリストの構成の一例を示す図。
【図５】本発明の実施形態に係るバックアップ要求の構成の一例を示す図（第１の例）。
【図６】本発明の実施形態に係るバックアップ要求の構成の一例を示す図（第２の例）。
【図７】本発明の実施形態に係るバックアップ要求の構成の一例を示す図（第３の例）。
【図８】本発明の実施形態に係る第１のバックアップ装置のコンタクトリストの構成の一例を示す図。
【図９】本発明の実施形態に係るコンタクト管理部によって表示部に表示されたコンタクト一覧を示す図（第１の例）。
【図１０】本発明の実施形態に係るコンタクト管理部によって表示部に表示されたコンタクト一覧を示す図（第２の例）。
【図１１】本発明の実施形態に係るコンタクト管理部の動作を示すフローチャート（コンタクトを追加した際の動作）。
【図１２】本発明の実施形態に係るコンタクト管理部の動作を示すフローチャート（シークレット設定をオフに変更した際の動作）。
【図１３】本発明の実施形態に係るコンタクト管理部の動作を示すフローチャート（シークレット属性をオンに変更した際の動作）。
【符号の説明】
【０１００】
１５  表示部
１５ａ  コンタクト一覧
１６  入力装置
１７  コンタクト管理部
１８、３５  コンタクト記憶部
１８ａ、３５ａ  コンタクトリスト
１８ｂ、２２ｂ、３５ｃ  コンタクト識別子
１８ｃ、３５ｄ  氏名
１８ｄ、３５ｅ  電話番号
１８ｅ、３５ｆ  シークレット属性
２１、３４  コンタクト保全部
２２  バックアップ要求記憶部
２２ａ  バックアップ要求
２２ｃ  第１のバックアップサーバ装置への要求
２２ｄ  第２のバックアップサーバ装置への要求
３５ｂ  移動通信端末装置識別子
ＭＳ  移動通信端末装置
ＢＫ１  第１のバックアップサーバ装置
ＢＫ２  第２のバックアップサーバ装置
【図１】
0004764251.tif 000002
【図２】
0004764251.tif 000003
【図３】
0004764251.tif 000004
【図４】
0004764251.tif 000005
【図５】
0004764251.tif 000006
【図６】
0004764251.tif 000007
【図７】
0004764251.tif 000008
【図８】
0004764251.tif 000009
【図９】
0004764251.tif 000010
【図１０】
0004764251.tif 000011
【図１１】
0004764251.tif 000012
【図１２】
0004764251.tif 000013
【図１３】
0004764251.tif 000014